(57)【要約】【課題】筐体を構成するキャップがカメラ部およびペン先の保護カバー構造となり、キャップの紛失を防止すると共に、使用又は不使用に応じて電源をＯＮ又はＯＦＦすることにより、節電や誤作動防止の機能も兼用する電子ペンを提供する。【解決手段】筐体側面に形成された螺旋状の溝１０５に、キャップ内壁に形成された螺旋状の突起を嵌合し、螺旋状の溝１０５に沿ってキャップが摺動する。また、筐体の溝１０５の後端側の端部に電源スイッチ１０６を設け、ペン先１０１が露出した状態でキャップの突起が電源スイッチを押下してＯＮにする。【選択図】図１
2012230562.tif 000002
【特許請求の範囲】
【請求項１】
ペン先近傍に設けられた撮像手段と、
筐体に設けられたガイドに沿って摺動し、前記ペン先及び前記撮像手段を露出又は収容するキャップと、
前記ペン先及び前記撮像手段を露出した場合、電源をＯＮにする電源スイッチと、
を具備する電子ペン。
【請求項２】
前記キャップは、
ペン先を保護するペン先保護部と、
前記ペン先が露出した場合において、前記撮像手段の受光部が露出する開口部と、
を有する請求項１に記載の電子ペン。
【請求項３】
前記キャップ内壁に設けられ、前記ペン先及び前記撮像手段を収容した場合において、前記撮像手段の受光部手前に位置する突起を具備する請求項２に記載の電子ペン。
【発明の詳細な説明】
【技術分野】
【０００１】
本発明は、ペン先を保護する電子ペンに関する。
【背景技術】
【０００２】
近年、紙に書いた情報をデジタル情報として管理する電子ペン（「デジタルペン」ともいう）が普及しつつある。電子ペンは、通常のペン先部に加えて、ＣＣＤ（Charge Coupled Device）カメラなどの小型カメラを内蔵している。利用者が電子ペンを用いて、所定のドットパターンが印刷された専用紙に文字や図を記述すると、電子ペンは筆圧を検出して、小型カメラによる撮像を開始し、電子ペンの移動に伴って小型カメラが専用紙のドットパターンを読み取る。
【０００３】
電子ペンにはプロセッサが内蔵されており、このプロセッサが小型カメラによって読み取られたドットパターンから専用紙上の座標を算出する。また、プロセッサは、算出された座標データとタイムスタンプとを関連付けてメモリに記憶する。メモリに記憶されたデータは、利用者の指示に従って、データ通信ユニットから端末装置へ転送される。
【０００４】
電子ペンには、上述したように、ペン先付近にカメラが配置されているため、電子ペンを使用しない場合、特に、ペンケース及び鞄等に収納する場合には、カメラのレンズに傷が付いたり、ゴミ及びほこりが付着したりすることがある。このため、ペン先を保護するキャップを設けることが考えられる。
【０００５】
例えば、特許文献１には、ペンが使用されていないとき、通常、前部を覆うように置かれ、ペン先及びその周辺を保護するキャップが開示されている。また、特許文献１には、キャップの取り付け又は取り外しに応じて、電子ペンの電源をＯＮ又はＯＦＦすることが開示されている。
【先行技術文献】
【特許文献】
【０００６】
【特許文献１】特表２００７−５２４１５５号公報
【発明の概要】
【発明が解決しようとする課題】
【０００７】
しかしながら、上述した特許文献１に開示の技術は、キャップが電子ペン本体から分離するため、キャップを紛失するおそれがあり、キャップを紛失した場合には、ペン先及びペン先付近に配置されたカメラを保護することができないという問題がある。また、特に、特許文献１に開示の技術は、キャップの取り付け又は取り外しに応じて、電子ペンの電源をＯＮ又はＯＦＦするため、キャップを紛失した場合には、電子ペンの電源をＯＦＦにすることができないという問題がある。
【０００８】
本発明の目的は、筐体を構成するキャップがカメラ部およびペン先の保護カバー構造となり、キャップの紛失を防止すると共に、使用又は不使用に応じて電源をＯＮ又はＯＦＦすることにより、節電や誤作動防止の機能も兼用する電子ペンを提供することである。
【課題を解決するための手段】
【０００９】
本発明の電子ペンは、ペン先近傍に設けられた撮像手段と、筐体に設けられたガイドに沿って摺動し、前記ペン先及び前記撮像手段を露出又は収容するキャップと、前記ペン先及び前記撮像手段を露出した場合、電源をＯＮにする電源スイッチと、を具備する構成を採る。
【発明の効果】
【００１０】
本発明によれば、筐体を構成するキャップがカメラ部およびペン先の保護カバー構造となり、キャップの紛失を防止すると共に、使用又は不使用に応じて電源をＯＮ又はＯＦＦすることにより、節電や誤作動防止の機能も兼用することができる。
【図面の簡単な説明】
【００１１】
【図１】本発明の実施の形態１に係る電子ペンの一部の構成を示す図
【図２】図１に示した電子ペンの一部にキャップを装着した様子を示す図
【図３】キャップ内壁に形成された螺旋状の突起の形状を示す図
【図４】図３に示したロック用ツメを拡大表示した図
【図５】筐体に形成された溝の後端側における端部の形状を示す図
【図６】ペン先が露出した状態において、筐体に形成された溝の後端側の様子を示す図
【図７】ペン先が収容された状態において、筐体に形成された溝の様子を示す図
【図８】本発明の実施の形態２に係る電子ペンの一部の構成を示す図
【図９】図８に示した電子ペンの断面を示す図
【図１０】電子ペンの突起位置における断面を示す図
【発明を実施するための形態】
【００１２】
以下、本発明の実施の形態について、図面を参照して詳細に説明する。
【００１３】
（実施の形態１）
図１は、本発明の実施の形態１に係る電子ペン１００の一部の構成を示す図である。図１において、専用紙のドットパターンを撮像するカメラ部１０２がペン先１０１の近傍に設けられており、カメラ部１０２より後端側に螺旋状のスプリング１０３を伸縮自在に外嵌する。
【００１４】
スプリング１０３の位置する筐体の外径は、スプリング位置より後端型の筐体の外径より小さく設定され、これによりスプリング位置の境界には段差（スプリング受け面１０４）が形成され、このスプリング受け面１０４がスプリング１０３の後端側を係止する。なお、後述するがスプリング１０３のペン先側はキャップの一部によって係止される。
【００１５】
スプリング位置より後端側の筐体には、螺旋状の溝１０５が形成されており、溝１０５の後端側の端部に電源スイッチ１０６が設けられている。
【００１６】
図２は、図１に示した電子ペン１００の一部にキャップを装着した様子を示す図である。図２（ａ）は、ペン先１０１がキャップ１５０に収容された状態を示す透視図であり、図２（ｂ）は、ペン先１０１がキャップ１５０から露出した状態を示す透視図である。
【００１７】
これらの図において、キャップ１５０は、円筒状の形状を有し、２つの底面に相当する部分はいずれも開口している。また、ペン先保護部１５１は、ペン先１０１を保護し、他の部分に比べて径が小さくなっており、カメラ部１０２へのゴミ及びほこりの付着を防止するのに寄与している。また、キャップ内壁には、ペン先保護部１５１の境界に段差（スプリング受け面）が形成されており、このスプリング受け面がスプリング１０３のペン先側を係止する。また、キャップ内壁には、螺旋状の突起が形成されており、筐体に形成された螺旋状の溝１０５に嵌合する。
【００１８】
ここで、図２（ａ）に示すようにペン先１０１がキャップ１５０に収容された状態において、利用者が筐体に対してキャップ１５０を回転させると、キャップ１５０が筐体に形成された螺旋状の溝１０５に沿って摺動し、スプリング１０３がキャップ１５０と筐体のスプリング受け面１０４とに挟まれて縮む。この結果、キャップ１５０に形成された螺旋状の突起が筐体に形成された螺旋状の溝１０５の後端側の端部に達し、ペン先１０１が露出した状態になると同時に、溝１０５の端部に設けられた電源スイッチ１０６がＯＮになり、カメラが起動する。この状態が図２（ｂ）に示した状態である。
【００１９】
図２（ｂ）に示したペン先１０１がキャップ１５０から露出した状態において、利用者が筐体に対してキャップを回転させると、キャップ１５０が筐体に形成された螺旋状の溝１０５に沿って摺動し、縮んでいたスプリング１０３が元に戻る。この結果、キャップ１５０に形成された螺旋状の突起が筐体に形成された螺旋状の溝１０５の後端側の端部から離れ、溝１０５の端部に設けられた電源スイッチ１０６がＯＦＦになり、カメラが停止する。また、ペン先１０１がキャップ１５０に収容された状態、すなわち、図２（ａ）に示した状態になる。
【００２０】
図３は、キャップ内壁に形成された螺旋状の突起の形状を示す図である。この図は、螺旋状の突起１６１の後端側から見た斜視図である。突起１６１の端部には、ロック用ツメ１６２が形成されており、ペン先１０１が露出した状態で、筐体の後端側端部に設けられたロック用ツメ受けにロック用ツメ１６２が嵌合し、キャップ１５０が筐体にロックする。ロック用ツメ１６２を拡大表示したのが図４である。
【００２１】
図５は、筐体に形成された溝１０５の後端側における端部の形状を示す図である。図５に示すように、溝１０５の端部には電源スイッチ１０６が設けられており、キャップ１５０に形成された突起１６１によって電源スイッチ１０６が押圧されることにより、電源スイッチ１０６がＯＮになる。また、ロック用ツメ受け１０７が溝１０５に連なって筐体の側面に形成されている。
【００２２】
図６は、ペン先１０１が露出した状態において、筐体に形成された溝１０５の後端側の様子を示す図である。この図では、キャップ１５０の突起部分を抽出して筐体の溝１０５に嵌合したイメージを示している。図６から分かるように、キャップ１５０に設けられた突起１６１が溝１０５の端部に設けられた電源スイッチ１０６を押下すると共に、突起１６１の端部に設けられたロック用ツメ１６２が筐体に設けられたロック用ツメ受け１０７に嵌合している。
【００２３】
図７（ａ）は、ペン先１０１が収容された状態において、筐体に形成された溝１０５のペン先側の様子を示す図である。また、図７（ｂ）は、ペン先１０１が収容された状態において、筐体に形成された溝１０５の後端側の様子を示す図である。これらの図では、キャップ１５０の突起部分を抽出して筐体の溝１０５に嵌合したイメージを示している。図７（ａ）及び図７（ｂ）から分かるように、キャップ１５０に設けられた突起１６１が溝１０５のペン先側端部に接すると共に、後端側の端部から離れ、電源スイッチ１０６がＯＦＦになる。
【００２４】
このように、実施の形態１によれば、筐体側面に形成された螺旋状の溝に、キャップ内壁に形成された螺旋状の突起を嵌合し、螺旋状の溝に沿ってキャップが摺動することにより、ペン先が露出又は収容することができ、キャップの紛失を防止することができる。また、筐体の溝の後端側の端部に電源スイッチを設け、ペン先が露出した状態でキャップの突起が電源スイッチを押下してＯＮにすることにより、ペン先の露出又は収容に連動して、電源スイッチのＯＮ又はＯＦＦを切り替えることができる。
【００２５】
（実施の形態２）
図８は、本発明の実施の形態２に係る電子ペン２００の一部の構成を示す図である。図８（ａ）は、ペン先２０１がキャップ２５０に収容された状態を示す透視図であり、図８（ｂ）は、ペン先２０１がキャップ２５０から露出した状態を示す透視図である。
【００２６】
これらの図において、カメラ部はペン先２０１よりやや後端側に設けられている。また、キャップ２５０は、ペン先２０１を保護する部分（ペン先保護部２５１）及び利用者が手で持つ部分（把持部２５２）を備え、ペン先保護部２５１は、円錐状の形状を有し、開口する底面で同じく開口する底面を有する円筒状の把持部２５２に連接する。ただし、ペン先保護部２５１の底面は、把持部２５２の底面より小さく、このため、把持部２５２のペン先側は開口している。
【００２７】
本発明の実施の形態２に係る電子ペン２００においても、実施の形態１と同様の機構でペン先の露出及び収容と、電源スイッチのＯＮ又はＯＦＦが行われる。
【００２８】
図９は、図８に示した電子ペン２００の断面を示す図である。図９（ａ）は、ペン先２０１がキャップ２５０に収容された状態を示す断面図であり、図９（ｂ）は、ペン先２０１がキャップ２５０から露出した状態を示す断面図である。
【００２９】
これらの図に示すように、キャップ内壁において、ペン先２０１を収容した状態でカメラレンズ２０４の手前に位置する突起２０５を設ける。これにより、ペン先収容時に、カメラレンズ２０４にゴミ及びほこりが付着することを防止することができる。また、キャップ内壁には、把持部２５２に段差（スプリング受け面２０６）が形成されており、このスプリング受け面２０６がスプリングのペン先側を係止する。
【００３０】
図９（ａ）に示す状態において、利用者が筐体に対してキャップ２５０を回転させると、図９（ｂ）に示すように、ペン先２０１を露出した状態となる。この状態では、カメラレンズ（受光部）２０４が把持部２５２のペン先側開口部に位置し、カメラが専用紙のドットパターンを撮像することができる。参考までに、電子ペン２００の突起位置における断面を図１０に示す。ペン先を収容した状態を図１０（ａ）に示し、ペン先２０１を露出した状態を図１０（ｂ）に示す。
【００３１】
このように、実施の形態２によれば、ペン先を収容した状態でカメラレンズの手前に位置する突起をキャップ内壁に設けることにより、ペン先収容時に、カメラレンズにゴミ及びほこりが付着することを防止することができる。
【００３２】
なお、上記各実施の形態では、筐体の側面に形成された螺旋状の溝に、キャップ内壁に形成された螺旋状の突起を嵌合させるものとして説明したが、本発明はこれに限らず、筐体の側面に螺旋状の突起を形成し、キャップ内壁に螺旋状の溝を形成して、これらを嵌合させてもよい。要は、キャップが筐体を摺動するガイドが設けられ、ペン先を露出又は収容できればよい。
【産業上の利用可能性】
【００３３】
本発明にかかる電子ペンは、筐体を構成するキャップがカメラ部およびペン先の保護カバー構造となり、キャップの紛失を防止すると共に、使用又は不使用に応じて電源をＯＮ又はＯＦＦすることにより、節電や誤作動防止の機能も兼用するのに有用である。
【符号の説明】
【００３４】
１０１、２０１  ペン先
１０２  カメラ部
１０３  スプリング
１０４、２０６  スプリング受け面
１０５  溝
１０６  電源スイッチ
１５０、２５０  キャップ
１５１、２５１  ペン先保護部
１６１、２０５  突起
１６２  ロック用ツメ
２５２  把持部
２０４  カメラレンズ
【図２】
2012230562.tif 000003
【図８】
2012230562.tif 000004
【図９】
2012230562.tif 000005
【図１】
2012230562.tif 000006
【図３】
2012230562.tif 000007
【図４】
2012230562.tif 000008
【図５】
2012230562.tif 000009
【図６】
2012230562.tif 000010
【図７】
2012230562.tif 000011
【図１０】
2012230562.tif 000012